(57)【特許請求の範囲】
【請求項１】
記録前に対して記録後に反射率が低下する光ディスクと記録前に対して記録後に反射率が上昇する光ディスクとを判別する機能を有し、光ディスクの再生に対応するサーボ制御信号生成装置において、
光ディスクの反射光からＲＦ信号を生成するＲＦ信号生成手段と、
前記ＲＦ信号のエンベロープ信号を生成するエンベロープ生成手段と、
前記エンベロープ信号に基づいて、ディフェクト信号を生成するディフェクト信号生成手段と、
を備えて、
前記ディフェクト信号生成手段は、装着された光ディスクの種類が、記録前に対して記録後に反射率が上昇する光ディスクである場合に、前記ＲＦ信号の未記録側のエンベロープ信号に基づいてディフェクト信号を生成することを特徴とするサーボ制御信号生成装置。
【請求項２】
記録前に対して記録後に反射率が低下する光ディスクと記録前に対して記録後に反射率が上昇する光ディスクとを判別する機能を有し、光ディスクの再生に対応するサーボ制御信号生成装置において、
光ディスクの反射光からＲＦ信号を生成するＲＦ信号生成手段と、
前記ＲＦ信号のトップエンベロープ信号を生成するトップエンベロープ生成手段と、
前記ＲＦ信号のボトムエンベロープ信号を生成するボトムエンベロープ生成手段とを備えて、
装着された光ディスクの種類が、記録前に対して記録後に反射率が低下するディスクである場合は前記トップエンベロープ信号からディフェクト信号を生成し、記録前に対して記録後に反射率が上昇するディスクである場合は前記ボトムエンベロープ信号からディフェクト信号を生成することを特徴とするサーボ制御信号生成装置。
【請求項３】
記録前に対して記録後に反射率が低下する光ディスクと記録前に対して記録後に反射率が上昇する光ディスクとを判別する機能を有し、光ディスクの再生に対応するサーボ制御信号生成装置において、
光ディスクの反射光からＲＦ信号を生成するＲＦ信号生成手段と、
前記ＲＦ信号のトップエンベロープ信号を生成するトップエンベロープ生成手段と、
前記ＲＦ信号のボトムエンベロープ信号を生成するボトムエンベロープ生成手段と
装着された光ディスクの種類が、記録前に対して記録後に反射率が低下するディスクである場合は前記トップエンベロープ信号を、上昇するディスクである場合は前記ボトムエンベロープ信号を選択して出力する第1の選択手段と、
装着された光ディスクの種類が、記録前に対して記録後に反射率が低下するディスクである場合は前記ボトムエンベロープ信号を、上昇するディスクである場合は前記トップエンベロープ信号を選択して出力する第２の選択手段と、
前記第1の選択手段の出力信号レベルが第1の所定レベルよりも小さい期間を検出する第1の検出手段と、
前記第２の選択手段の出力信号からＤＣ成分を除去する低域除去手段と、
前記低域除去手段の出力信号レベルが第２の所定レベルよりも大きい期間を検出する第２の検出手段とを備えて、
前記第1の検出手段の出力信号をディフェクト信号とし、前記第２の検出手段の出力信号をミラー信号とすることを特徴とするサーボ制御信号生成装置。
【請求項４】
前記請求項３に記載のサーボ制御信号生成装置において、
装着された光ディスクの種類が、記録前に対して記録後に反射率が低下するディスクである場合と、記録後に反射率が上昇するディスクである場合とで、前記ミラー信号の極性を切り換えることを特徴とするサーボ制御信号生成装置。
【請求項５】
前記請求項１乃至４に記載のいずれか1つのサーボ制御信号生成装置において、
装着された光ディスクのＢＣＡ領域に記録されているディスクＩＤから、光ディスクの反射率が記録前に対して記録後に低下するか上昇するかを判別することを特徴とするサーボ制御信号生成装置。
【請求項６】
前記請求項１乃至４に記載のいずれか1つのサーボ制御信号生成装置において、
装着された光ディスクのリードイン領域に記録されているディスクＩＤから、光ディスクの反射率が記録前に対して記録後に低下するか上昇するかを判別することを特徴とするサーボ制御信号生成装置。
【請求項７】
前記請求項１乃至６のいずれかの１つのサーボ制御信号生成装置を備える光ディスク装置において、
前記ディフェクト信号がディフェクトを検出した期間においてサーボ制御をホールド動作とすることを特徴とする光ディスク装置。
【請求項８】
前記請求項３又は４に記載のサーボ制御信号生成装置を備える光ディスク装置において、
前記ミラー信号を用いて横断トラック数をカウントすることを特徴とする光ディスク装置。
【請求項９】
記録前に対して記録後に反射率が低下する光ディスクと記録前に対して記録後に反射率が上昇する光ディスクとを判別する機能を有し、光ディスクの再生に対応する光ディスク装置であって、
光ディスクに対し、レーザ光を出射する光ピックアップと、
前記レーザ光の光ディスクからの反射光に基づいて、ＲＦ信号及びサーボ駆動信号を生成する信号生成手段と、
前記サーボ駆動信号により前記光ピックアップのサーボ制御を行うサーボ制御手段と、
を備えて、
装着された光ディスクの種類が、記録前に対して記録後に反射率が上昇する光ディスクである場合に、前記ＲＦ信号の未記録側のエンベロープ信号に従って、前記サーボ制御手段によるサーボ制御をホールド動作させることを特徴とする光ディスク装置。
【請求項１０】
記録前に対して記録後に反射率が低下する光ディスクと記録前に対して記録後に反射率が上昇する光ディスクとを判別する機能を有し、光ディスクの再生に対応するサーボ制御信号生成装置におけるサーボ制御信号生成方法において、
光ディスクの反射光からＲＦ信号を生成し、
前記ＲＦ信号のエンベロープ信号を生成し、
前記エンベロープ信号に基づいて、ディフェクト信号を生成し、
装着された光ディスクの種類が、記録前に対して記録後に反射率が上昇する光ディスクである場合に、前記ＲＦ信号の未記録側のエンベロープ信号に基づいてディフェクト信号を生成することを特徴とするサーボ制御信号生成方法。
【請求項１１】
記録前に対して記録後に反射率が低下する光ディスクと記録前に対して記録後に反射率が上昇する光ディスクとを判別する機能を有し、光ディスクの再生に対応するサーボ制御信号生成装置におけるサーボ制御信号生成方法において、
光ディスクの反射光からＲＦ信号を生成し、
前記ＲＦ信号のトップエンベロープ信号を生成し、
前記ＲＦ信号のボトムエンベロープ信号を生成し、
装着された前記光ディスクの種類が、記録前に対して記録後に反射率が低下するディスクである場合は前記トップエンベロープ信号からディフェクト信号を生成し、記録前に対して記録後に反射率が上昇するディスクである場合は前記ボトムエンベロープ信号からディフェクト信号を生成することを特徴とするサーボ制御信号生成方法。
【発明の詳細な説明】
【技術分野】
【０００１】
本発明は、ディフェクト信号とミラー信号を検出するサーボ制御信号生成装置およびそれを用いた光ディスク装置に関する。  
【背景技術】
【０００２】
光ディスクの再生を行う際、光ディスク表面にゴミが付着していたり傷がついていたりするとサーボ信号が乱れてしまい、正確なサーボ制御を行うことができない。そこで、ＲＦ信号からゴミや傷などのディフェクト部を検出するディフェクト信号を生成して、ディフェクト期間中はサーボ制御をホールド動作させることでゴミや傷などにおけるサーボ制御の過渡応答を安定化させることができる。ディフェクト信号の生成方法としては、ＲＦ信号のトップエンベロープを用いる方法が開示されている。例えば、特許文献１参照。
【０００３】
また、光ディスク装置は、光ディスクの所望のアドレス位置に光ピックアップをディスク半径方向へ移動させるシーク動作の際に、横断トラック数をカウントするためにミラー信号を用いることができる。また、シーク動作最後のトラッキング引き込み時に、ミラー信号とトラッキングゼロクロス信号の位相関係を用いてトラッキングブレーキパルスを生成して、このトラッキングブレーキパルスによってトラッキング駆動信号のうち対物レンズの移動方向とは逆の方法に作用する駆動信号のみを出力するトラッキングブレーキ動作を行う。ミラー信号の生成方法としては、ＲＦ信号のボトムエンベロープを用いる方法が開示されている。例えば、特許文献２参照。  
また、現在広く普及しているＣＤ−ＲやＤＶＤ−Ｒなどの追記型光ディスクは、記録膜の反射率が記録前に比べて記録後に低くなるタイプが一般的であるが、このような光ディスクとは逆に記録前に比べて記録後の反射率が高くなる光ディスクも提案されている。例えば、特許文献３参照。以降、記録前に比べて記録後の反射率が低くなるタイプの光ディスクをHigh to Lowメディア、記録前に比べて記録後の反射率が高くなる光ディスクをLow to Highメディアと呼ぶ。  
【特許文献１】特開平１０−２１５４７号公報
【特許文献２】特開２００３−２４２６５８号公報
【特許文献３】特許２５１２０８７号公報
【発明の開示】
【発明が解決しようとする課題】
【０００４】
一台の光ディスク装置が前記High to Low メディアとLow to Highメディアの両方に対応してディフェクト信号とミラー信号を生成しようとすると以下の問題点が発生する。  
最初に、１つめの問題点としてディフェクト信号生成に関する問題について図１を用いて説明する。  
図１は、ＲＦ信号のトップエンベロープからディフェクト信号を生成する従来技術の場合における各信号波形である。なお、図１の左側の波形はHigh to Low メディアの場合における各波形であり、右側の波形はLow to Highメディアの場合における各波形である。  
図１（ａ）は、ＲＦ信号波形であり、未記録部および記録部においてゴミなどのディフェクトのためにＲＦ信号のレベルが低下している。なお、図１において未記録部および記録部のディフェクトの大きさは同じであるものとする。  
図１（ｂ）は、ＲＦ信号のトップエンベロープである。  
図１（ｃ）は、ディフェクト信号であり、トップエンベロープ（ｂ）と閾値電圧Vth1を比較し、トップエンベロープ（ｂ）がVth1より小さい期間においてディフェクトを示すHighレベルとなる。
【０００５】
図１（ｃ）において、High to Lowメディアの場合は、未記録部および記録部のディフェクトを正しく検出できている。一方、Low to Highメディアの場合、未記録部ではディフェクトを正しく検出できているが記録部ではディフェクトを検出できていない。この原因は、Low to Highメディアの場合、未記録部と記録部の各ディフェクト部におけるトップエンベロープのＤＣレベルが異なるためである。この問題を解決するには、光ディスク装置に装着された光ディスクがLow to Highメディアであった場合、未記録部と記録部で閾値電圧Vth1の設定を切り換える方法が考えられるが、方式が複雑になってしまう。  
次に、２つめの問題点としてミラー信号生成に関する問題について図２を用いて説明する。  
図２は、ＲＦ信号のボトムエンベロープからミラー信号を生成する従来技術の場合における各信号波形である。なお、図２の左側の波形はHigh to Lowメディアの場合における各波形であり、右側の波形はLow to High メディアの場合における各波形である。  
図２（ａ）は、記録膜の断面図であり、ランド・グルーブ構造を有している。なお、記録マークはグループにのみ形成されるものとし、既にグルーブには情報が記録されているものとする。  
図２（ｂ）は、トラッキング制御オフ状態においてレーザスポットがトラックを横断しているときのＲＦ信号である。High to Lowメディア、Low to Highメディア共に、記録マークが形成されているグルーブにおいてＲＦ信号振幅が大きくなり、記録マークが形成されていないランドにおいてＲＦ信号振幅が小さくなる。このことは、ＲＦ信号が記録トラック／未記録トラックによる変調を受けていることと同義であり、High to Lowメディアの場合はボトムエンベロープが変調を受けており、Low to Highメディアはトップエンベロープが変調を受けている。  
図２（ｃ）は、ＲＦ信号のボトムエンベロープである。  
図２（ｄ）は、ミラー信号であり、ボトムエンベロープ（ｃ）と閾値電圧Vth2を比較し、ボトムエンベロープ（ｃ）がVth2より大きい期間にHighレベルとなる。ランド・グルーブ構造を有する光ディスクにおいてランドまたはグルーブのどちらか一方に記録を行う場合、記録を行わない方をミラー面と定義する。つまり本説明の場合はランドがミラー面である。よって、ミラー信号（ｄ）がHighの時には光ピックアップから照射されたレーザスポットはミラー面であるランドに位置していることを示すことになる。  
図２においてHigh to Lowメディアの場合、ミラー信号（ｄ）はランド部においてHighレベルとなり、正しくミラー面を検出している。一方、Low to Highメディアの場合、ボトムエンベロープ（ｃ）がVth2よりも大きいレベルのためミラー信号（ｄ）は常にHighレベルとなってしまい、ミラー面を正しく検出できない。なお、Low to Highメディアのボトムエンベロープはミラー面と記録トラックによる変調を受けていないため、ＤＣレベルを除去しても正しくミラー信号を検出することはできない  
以上の２つの問題に鑑みて本発明の目的は、High to LowメディアとLow to Highメディアの両方に対応してディフェクト信号とミラー信号を正しく生成することができる光ディスク装置を提供することである。  
【課題を解決するための手段】
【０００６】
本願において開示される発明の代表的な一例を示せば以下の通りである。すなわち、記録前に対して記録後に反射率が低下する光ディスクと記録前に対して記録後に反射率が上昇する光ディスクとを判別する機能を有し、光ディスクの再生に対応するサーボ制御信号生成装置において、光ディスクの反射光からＲＦ信号を生成するＲＦ信号生成手段と、前記ＲＦ信号のエンベロープ信号を生成するエンベロープ生成手段と、前記エンベロープ信号に基づいて、ディフェクト信号を生成するディフェクト信号生成手段と、を備えて、
前記ディフェクト信号生成手段は、装着された光ディスクの種類が、記録前に対して記録後に反射率が上昇する光ディスクである場合に、前記ＲＦ信号の未記録側のエンベロープ信号に基づいてディフェクト信号を生成することを特徴とする。
【発明の効果】
【００１３】
High to LowメディアとLow to Highメディアの両方に対応してディフェクト信号とミラー信号を生成することができる。  
【発明を実施するための最良の形態】
【００１４】
以下、本発明における実施例について説明する。
【実施例１】
【００１５】
以下、本発明における第１の実施例について説明する。
【００１６】
図３は、本発明を用いた光ディスク装置の一例を示すブロック図である。
【００１７】
符号１は、光ディスクであり、相変化膜または有機膜を用いた記録層を有しており、記録層にデータを記録することができる。また、記録トラックはランド・グルーブ構造を有しており、さらに記録トラックは一定の周期で蛇行（ウォブリング）するよう形成されている。以下、記録トラックの蛇行をウォブルと呼ぶ。
【００１８】
符号２は、対物レンズであり、光ピックアップ３から出射されたレーザ光を光ディスク１の記録面上に集光する。
【００１９】
符号３は、光ピックアップであり、レーザ光源、フォーカスアクチュエータ、トラッキングアクチュエータなどを備える。また、公知の４分割光検出器を備えて、光ディスク１からの反射光量を検出した検出信号を出力する。
【００２０】
符号４は、ＲＦ信号生成回路であり、光ピックアップ３が出力する検出信号にイコライズ処理を行いＲＦ信号として出力する。
【００２１】
符号５は、サーボエラー信号生成回路であり、光ピックアップ３が出力する検出信号から、サーボ制御に用いるフォーカスエラー信号（以下ＦＥ信号と呼ぶ）およびトラッキングエラー信号（以下ＴＥ信号と呼ぶ）を生成する。
【００２２】
符号６は、フォーカス制御回路であり、ＦＥ信号に対してゲインと位相の補償を行った信号をフォーカス駆動信号として出力する。また、サーボ制御信号生成回路１８が出力するディフェクト信号（以下、defect信号と呼ぶ）に応じて、ディフェクト期間はフォーカス制御モードをホールド動作させる。
【００２３】
符号７は、ドライバ回路であり、フォーカス駆動信号を増幅して、光ピックアップ３内のフォーカスアクチュエータにその出力を供給する。
【００２４】
符号８は、トラッキング制御回路であり、ＴＥ信号に対してゲインと位相の補償を行った信号をトラッキング駆動信号として出力する。また、サーボ制御信号生成回路１８が出力するdefect信号に応じて、ディフェクト期間はトラッキング制御モードをホールド動作させる。さらに、シーク時は、トラックカウンタ１９が出力する横断トラック数に応じてシーク動作を行う。
【００２５】
符号９は、ドライバ回路であり、トラッキング駆動信号を増幅して、光ピックアップ３内のトラッキングアクチュエータにその出力を供給する。
【００２６】
符号１０は、スレッド制御回路であり、トラッキング駆動信号の出力に対して、そのＤＣ成分を抽出して、ゲインと位相の補償を行った信号をスレッド駆動信号として出力する。
【００２７】
符号１１は、ドライバ回路であり、スレッド駆動信号を増幅して出力する。
【００２８】
符号１２は、スレッドモータであり、ドライバ回路１１の出力に応じて動作する。
【００２９】
符号１３は、リードスクリュであり、スレッドモータ１２に接続されており、スレッドモータ１２の回転に応じて、光ピックアップ３を半径方向に移動させる。
【００３０】
符号１４は、ウォブル信号検出回路であり、光ピックアップ３が出力する検出信号から光ディスク１のウォブルに同期したクロック信号を検出して出力する。
【００３１】
符号１５は、スピンドル制御回路であり、出力信号はスピンドル駆動信号である。スピンドル制御回路１５は、ウォブル信号検出回路１４の出力するクロック信号が一定周期になるようにスピンドルモータ１７の回転を制御する。ウォブルは一定周期で記録トラックに形成されているので、光ディスク１は線速度一定（ＣＬＶ：Constant Linear Velocity）で回転する。
【００３２】
符号１６は、ドライバ回路であり、スピンドル駆動信号を増幅して出力する。
【００３３】
符号１７は、スピンドルモータであり、ドライバ回路１６の出力に応じて回転する。
【００３４】
符号１８は、サーボ制御信号生成回路であり、ＲＦ信号を用いてdefect信号およびミラー信号（以下mirr信号と呼ぶ）を生成して出力する。サーボ制御信号生成回路１８は、本発明と従来の技術において最も異なる部分であり、その詳細動作は後述する。
【００３５】
符号１９は、トラックカウンタであり、シーク時にmirr信号のエッジをカウントして横断トラック数を求める。
【００３６】
次に、サーボ制御信号生成回路１８の詳細について更に図４を用いて説明する。
【００３７】
符号２０は、トップエンベロープ検出回路であり、ＲＦ信号のトップエンベロープを検出して出力する。
【００３８】
符号２１は、ボトムエンベロープ検出回路であり、ＲＦ信号のボトムエンベロープを検出して出力する。
【００３９】
符号２２は選択回路であり、入力端子ａにはトップエンベロープ検出回路２０の出力信号が、入力端子ｂにはボトムエンベロープ検出回路２１の出力信号が接続されている。また、選択回路２２は、制御回路２５が出力するSEL信号がLowレベルときに入力端子ａ側に、Highレベルのときに入力端子ｂ側に切り換り、入力信号を選択して出力する。
【００４０】
符号２３は選択回路であり、入力端子ａにはボトムエンベロープ検出回路２１の出力信号が、入力端子ｂにはトップエンベロープ検出回路２０の出力信号が接続されている。また、選択回路２３は、制御回路２５が出力するSEL信号がLowレベルときに入力端子ａ側に、Highレベルのときに入力端子ｂ側に切り換り、入力信号を選択して出力する。
【００４１】
符号２４は、ディスク判別回路であり、ＲＦ信号から光ディスク装置に装着されているディスクがHigh to Lowメディアか、Low to Highメディアかを判別して制御回路２５に判別結果を伝達する。
【００４２】
符号２５は、制御回路であり、ディスク判別回路２４が出力するディスク判別結果に応じて、切り換えスイッチ２２，２３を制御するSEL信号をLowまたHighに切り換えて出力する。本実施例では、ディスク判別結果がHigh to Lowメディアの場合にSEL信号はLowに、Low to Highメディアの場合にSEL信号はHighに設定されるものとする。
【００４３】
符号２６は、第1の閾値電圧であり、電圧Vth1を出力する。
【００４４】
符号２７は、第１の比較回路であり、選択回路２２の出力と電圧Vth1を比較して、選択回路２２の出力が電圧Vth1より小さい場合にHighレベルを、大きい場合にLowレベルをdefect信号として出力する。
【００４５】
符号２８は、ＡＣカップリング回路であり、選択回路２３の出力からＤＣ成分をカットしてＡＣ成分を出力する。
【００４６】
符号２９は、第２の閾値電圧であり、電圧Vth2を出力する。本実施例では０レベルが設定されているものとする。
【００４７】
符号３０は、第２の比較回路であり、ＡＣカップリング回路２８の出力と電圧Vth2を比較して、ＡＣカップリング回路２８の出力が電圧Vth2より大きい場合にHighレベルを、小さい場合にLowレベルを出力する。
【００４８】
符号３１は、排他的論理和回路であり、２つの入力のうち一方には第２の比較回路３０の出力信号が接続されており、他方には制御回路２５が出力するSEL信号が接続されている。SEL信号がLowレベルつまりHigh to Lowメディアのときは、第２の比較回路３０の出力がそのまま出力され、SEL信号がHighレベルつまりLow to Highメディアのときは、第２の比較回路３０の出力が反転されて出力される。つまり、排他的論理和回路３１は極性反転回路として動作し、その出力をmirr信号とする。
【００４９】
以上の構成において、スピンドルモータ１７が定常回転している状態で、光ディスク装置は、装着されている光ディスク１がHigh to LowメディアかLow to Highメディアのどちらであるかを判別する。
【００５０】
ディスク判別の方法としては、光ディスクの記録面にフォーカス制御をONにした後に、対物レンズ２の位置をディスク内周部に予め記録されているBCA(Burst Cutting Area)に位置付けて、ディスク判別回路２４がBCAデータを再生して、再生データに含まれるディスクＩＤから光ディスクの種類を判別することができる。または、BCAデータにHigh to LowメディアかLow to Highメディアを示すビットが定義されていればそれを用いてディスクの種類を判別してもよい。
【００５１】
なお、BCAが記録されていないディスクであれば、ディスク内周部のリードイン領域にシークして、リードイン領域に記録されているディスクＩＤを読み出してHigh to LowメディアかLow to Highメディアを判別することができる。
【００５２】
ディスクの判別結果を受けて、制御回路２５は、光ディスク１がHigh to Lowメディアの場合はSEL信号にLowレベルを、光ディスク１がLow to Highメディアの場合はSEL信号にHighレベルを出力する。
【００５３】
以上の動作によって生成されるdefect信号とmirr信号について、High to Lowメディアの場合とLow to Highメディアの場合に分けて説明する。
【００５４】
まず、High to Lowメディアの場合について説明する。
【００５５】
制御回路２５は、SEL信号にLowレベルを出力しているので、選択回路２２，２３は共に入力ａ側に切り換っており、トップエンベロープ検出回路２０が出力するＲＦ信号のトップエンベロープ信号が選択回路２２を介して第１の比較回路２７に入力される。そのため、トップエンベロープ信号と第１の閾値電圧２６が出力する電圧Vth1とが比較回路２７によって比較されて、トップエンベロープ信号が電圧Vth1よりも小さい期間において比較回路２７の出力はHighとなるので、比較回路２７の出力波形は図１の波形（ｃ）の左側に示した波形と同様のdefect信号になる。
【００５６】
また、ボトムエンベロープ検出回路２１が出力するＲＦ信号のボトムエンベロープ信号が選択回路２３およびＡＣカップリング回路２８を介して第２の比較回路３０に入力されので、ボトムエンベロープ信号と第２の閾値電圧２９が出力する電圧Vth2とが比較回路３０によって比較されてmirr信号が生成される。なお、排他的論理回路３０に入力されるSEL信号はLowレベルなので、mirr信号は極性反転されず図２の波形（ｄ）の左側に示した波形と同様になる。
【００５７】
以上のように、High to Lowメディアの場合におけるdefect信号およびmirr信号は、図１および図２に示した従来波形と同様となる。
【００５８】
次に、Low to Highメディアの場合について説明する。
制御回路２５は、SEL信号にHighレベルを出力しているので、選択回路２２，２３は共に入力ｂ側に切り換っている。そのため、ボトムエンベロープ検出回路２１が出力するＲＦ信号のボトムエンベロープ信号が選択回路２２を介して第１の比較回路２７に入力される。この場合の各信号波形を図５に示す。
【００５９】
図５（ａ）は、図１（ａ）の右側の波形と同じLow to HighメディアのＲＦ信号波形であり、未記録部と記録部にそれぞれディフェクト部によるＲＦ信号のレベル低下が存在する。
【００６０】
図５（ｂ）は、選択回路２２を介して第１の比較回路２７に入力されるＲＦ信号（ａ）のボトムエンベロープである。
【００６１】
図５（ｃ）は、比較回路２７が出力するdefect信号であり、ボトムエンベロープ信号（ｂ）が電圧Vth1より小さい期間でHigh レベルとなる。これより、図１（ｃ）の右側波形で示した従来技術のdefect信号に対して、図５（ｃ）に示す本実施例のdefect信号は未記録部と記録部の両方のディフェクトを正しく検出できていることが分かる。
【００６２】
また、トップエンベロープ検出回路２０が出力するＲＦ信号のトップトエンベロープ信号が選択回路２３およびＡＣカップリング回路２８を介して第２の比較回路３０に入力される。この場合の各信号波形を図６に示す。
【００６３】
図６（ａ）は、記録膜の断面図であり、ランド・グルーブ構造を有している。なお、図１（ａ）と同様に記録マークはグループにのみ形成されるものとし、既にグルーブには情報が記録されているものとする。  
図６（ｂ）は、図２（ｂ）右側と同様にLow to High メディアにおいてトラックを横断しているときのＲＦ信号である。記録マークが形成されているグルーブにおいてＲＦ信号振幅が大きくなり、記録マークが形成されていないランドにおいてＲＦ信号振幅が小さくなる。  
図６（ｃ）は、ＡＣカップリング回路２８の出力であり、選択回路２３を介して入力されるＲＦ信号のトップエンベロープ信号である。
【００６４】
図６（ｄ）は、比較回路３０の出力であり、トップエンベロープ信号（ｃ）が電圧Vth2に設定されている０レベルより大きい期間にHighレベルとなる。
【００６５】
図６（ｅ）は、排他的論理和回路３１の出力であり、SEL信号がHighレベルであるので比較回路３０の出力（ｄ）を極性反転したものである。ＲＦ信号（ｂ）のレベルが低下している部分がミラー部となるランドであり、その期間において波形（ｅ）はHighレベルとなっている。また、逆にＲＦ信号のレベルが上がっている部分が記録部であるグルーブであり、その期間において波形（ｅ）はLowレベルとなっている。よって、波形（ｅ）からmirr部と記録トラックを判別可能であり、mirr信号として用いることができる。
【００６６】
なお、図６の説明においてＡＣカップリング回路２８の出力波形（ｃ）は０レベルが基準となるように出力しているが、任意のリファレンスレベルVrefを基準としてもよい。また、その場合は、第２の閾値電圧２９の出力電圧Vth2は前記リファレンスレベルVrefに設定すれば、mirr信号は図６（ｅ）と同様の波形になる。  
以上に説明した第１実施例の光ディスク装置は、装着された光ディスクの種類に応じて、defect信号およびmirr信号の生成対象信号をＲＦ信号のトップエンベロープ信号またはボトムエンベロープ信号に切り換えるため、High to LowメディアとLow to Highメディアのどちらでもdefect信号とmirr信号を正しく生成することができる。  
【実施例２】
【００６７】
以下、本発明における第２の実施例について説明する。
【００６８】
光ディスクにおいては、規格値の範囲内において反射率がディスク面内で変動することがある。そのためＲＦ信号のボトムエンベロープ信号もディスク反射率の変動の影響を受けるので、mirr信号を正しく生成できないという問題が発生する。この問題を解決するために、ボトムエンベロープ信号のトップホールド信号とボトムホールド信号を生成し、それらの中間レベルをmirr信号生成のための閾値レベルとする技術が公知である。
【００６９】
しかしながら、この方法をLow to Highメディアに適用しようとすると、図２（ｂ）で説明したようにLow to Highメディアのボトムエンベロープは記録トラック／未記録トラックによる変調を受けていないため、正しくmirr信号を生成することができない。
【００７０】
そこで、本実施例では、ディスク面内の反射率変動の影響を回避して、さらにHigh to Lowメディア及びLow to Highメディアの両方に対応してmirr信号を正確に生成可能な方法について説明する。 
第２の実施例においては、第１の実施例に対してサーボ制御信号生成回路１８のmirr信号生成部が異なっている。第２の実施例におけるサーボ制御信号生成回路１８を図７に示す。以下、図７において第１の実施例と異なる部分について説明する。
【００７１】
符号３２は、トップホールド回路であり、ＡＣカップリング回路３２の出力のトップレベルをホールドしたトップホールド信号を出力する。入力信号レベルが現状のトップホール回路の出力信号レベルよりも大きければ、出力信号は入力信号に追従し、入力信号レベルが出力信号レベルよりも小さくなると所定の時定数をもって出力信号レベルは低下する。
【００７２】
符号３３は、ボトムホールド回路であり、ＡＣカップリング回路３２の出力のボトムレベルをホールドしたボトムホールド信号を出力する。入力信号レベルが現状のボトムホール回路の出力信号レベルよりも小さければ、出力信号は入力信号に追従し、入力信号レベルが出力信号レベルよりも大きくなると所定の時定数をもって出力信号レベルは上昇する。
【００７３】
符号３４は、可変抵抗であり、トップホールド回路３２とボトムホールド回路３３の出力を分圧して出力する。本実施例では、トップホールドレベルとボトムホールドレベルの中間レベルを出力するよう分圧比＝１：１に設定されているものとする。
【００７４】
第２実施例の比較回路３０は、ＡＣカップリング回路２８の出力が可変抵抗３４の出力よりも大きい場合にHighレベルを、小さい場合にLowレベルを出力する。
【００７５】
以上の構成における動作波形を図８に示す。図８において、左側がHigh to Lowメディアの場合であり、右側がLow to Highメディアの場合である。
【００７６】
図８（ａ）は、図２（ａ）同様に記録膜の断面図であり、ランド・グルーブ構造を有している。なお、記録マークはグルーブだけに形成されるものとし、既にグルーブには情報が記録されているものとする。
【００７７】
図８（ｂ）は、トラッキング制御オフ状態においてトラックを横断しているときのＲＦ信号である。High to Lowメディア、Low to Highメディア共に、記録マークが形成されているグルーブにおいてＲＦ信号振幅が大きくなり、記録マークが形成されていないランドにおいてＲＦ信号振幅が小さくなる。さらに、ディスク面内の反射率変動の影響を受けて、トップエンベロープとボトムエンベロープが変動している。このことは記録トラック／未記録トラックの変調を受けないHigh to Low メディアのＲＦ信号のトップエンベロープ、およびLow to Highメディアのボトムエンベロープが変動していることからも確認できる。
【００７８】
図８（ｃ）は、ＡＣカップリング回路２８の出力であり、High to Lowメディアの場合はＲＦ信号のボトムエンベロープ信号が、Low to Highメディアの場合はＲＦ信号のトップエンベロープ信号が選択回路２３によって選択されて出力されている。さらに図８（ｃ）中に、トップホールド回路３２が出力するトップホールド信号とボトムホールド回路３３が出力するボトムホールド信号を示す。また、同じく図８（ｃ）中に可変抵抗３４が主力する閾値電圧Vth2を示す。閾値電圧Vth2は図８（ｃ）中のトップホールド信号レベルとボトムホールド信号レベルの中間レベルである。
【００７９】
図８（ｄ）は、第２の比較回路３０の出力波形であり、図８（ｃ）のＡＣカップリング回路出力信号レベルが閾値電圧Vth2よりも大きい期間でHighとなる。
【００８０】
図８（ｅ）は、制御回路２５が出力するSEL信号であり、High to Lowメディアの場合はLowレベル、Low to Highレベルの場合はHighレベルである。
【００８１】
図８（ｆ）は、排他的論理和回路３１が出力するmirr信号であり、High to Lowメディアの場合は、第２の比較回路３０の出力波形（ｄ）と同じであり、Low to Highメディアの場合は第２の比較回路３０の出力波形（ｄ）を極性反転したものとなる。
【００８２】
ここで、図８のmirr信号（ｆ）と記録膜断面図（ａ）を比較すると、mirr信号（ｆ）がHighの期間はランドと一致しており、Lowの期間はグルーブと一致している。また、図８（ａ）で説明したようにグルーブに情報が記録されているので、ランドは情報が記録されていないミラー部となる。これらより、図８に示したmirr信号（ｆ）は光ディスクのミラー部であるランドと一致しているので正しくミラー部を検出できていることが分かる。
【００８３】
以上に説明した第２実施例の光ディスク装置は、記録トラック／未記録トラックの変調を受けたＲＦ信号のエンベロープ信号のトップホールド信号とボトムエンベロープ信号からmirr信号を生成する閾値レベルを求めるので、光ディスクの反射率がディスク面内で変動しても正しくmirr信号を生成できる。さらには、mirr信号を生成するエンベロープ信号を、光ディスクの種類に応じてボトムエンベロープとトップエンベロープを切り換えるので、High to LowメディアとLow to Highメディアの両方に対応してmirr信号を正しく生成することができる。
【００８４】
なお、第２の実施例において、可変抵抗３４の分圧比は１：１と説明したが、ミラー信号のデューティ比が所望の値となるように０．９５：１．０５というように調整してもよい。
【図面の簡単な説明】
【００８５】
【図１】従来技術におけるディフェクト信号の生成過程を示す波形図である。
【図２】従来技術におけるミラー信号の生成過程を示す波形図である。
【図３】本発明の第１の実施例を示す光ディスク装置のブロック図である。
【図４】本発明の第１の実施例を示すサーボ制御信号生成回路のブロック図である。
【図５】本発明の第１の実施例におけるディフェクト信号の生成過程を示す波形図である。
【図６】本発明の第１の実施例におけるミラー信号の生成過程を示す波形図である。
【図７】本発明の第２の実施例を示すサーボ制御信号生成回路のブロック図である。
【図８】本発明の第２の実施例におけるミラー信号の生成過程を示す波形図である。
【符号の説明】
【００８６】
１…光ディスク、２…対物レンズ、３…光ピックアップ、４…ＲＦ信号生成回路、５…サーボエラー信号生成回路、６…フォーカス制御回路、７，９，１１，１６…ドライバ回路、８…トラッキング制御回路、１０…スレッド制御回路、１２…スレッドモータ、１３…リードスクリュ、１４…ウォブル信号検出回路、１５…スピンドル制御回路、１７…スピンドルモータ、１８…サーボ制御信号生成回路、１９…トラックカウンタ、２０…トップエンベロープ検出回路、２１…ボトムエンベロープ検出回路、２２，２３…選択回路、２４…ディスク判別回路、２５…制御回路、２６…第1の閾値電圧、２７…第１の比較回路、２８…ＡＣカップリング回路、２９…第２の閾値電圧、３０…第２の比較回路、３１…排他的論理和回路、３２…トップホールド回路、３３…ボトムホールド回路、３４…可変抵抗
【図１】
0004576316.tif 000002
【図２】
0004576316.tif 000003
【図３】
0004576316.tif 000004
【図４】
0004576316.tif 000005
【図５】
0004576316.tif 000006
【図６】
0004576316.tif 000007
【図７】
0004576316.tif 000008
【図８】
0004576316.tif 000009